(57)【特許請求の範囲】
【請求項１】
帯状材により形成されて可撓性を有するリングを径方向に複数層重ねた積層リングと、該積層リングを収容する凹部が形成されるとともに該凹部における左右の内壁面の開口部側に該積層リングを係合させてその離脱を防止する抜け止め部が形成された多数のエレメントとから構成され、環状に配列させた前記エレメントの列における前記両抜け止め部と前記凹部内の前記両内壁面を繋ぐ底面との間に前記積層リングを嵌め込んで組み付けた伝動ベルトにおいて、
前記積層リングの連続する少なくとも２層は、それぞれ、最も幅が広い幅広リングと該幅広リングよりも幅が狭い少なくとも１種類の幅狭リングとを幅方向にそれぞれ並列させた並列リングにより構成されているとともに、
前記各並列リングは、前記幅広リングと前記幅狭リングとが前記径方向に交互に積層されている
ことを特徴とする伝動ベルト。
【請求項２】
１層の前記並列リングを構成する前記幅広リングおよび前記幅狭リングの幅の総和が前記開口部の開口幅よりも小さく、
前記幅広リングの幅の２倍が前記開口幅よりも大きい
ことを特徴とする請求項１に記載の伝動ベルト。
【請求項３】
帯状材により形成されて可撓性を有するリングを径方向に複数層重ねた積層リングと、該積層リングを収容する凹部が形成されるとともに該凹部における左右の内壁面の開口部側に前記積層リングを係合させてその離脱を防止する抜け止め部が形成された多数のエレメントとから構成され、環状に配列された前記エレメントの列における前記両抜け止め部と前記凹部内の前記左右両内壁面を繋ぐ底面との間に前記積層リングを嵌め込んで組み付ける伝動ベルトの組み付け方法において、
前記積層リングの連続する少なくとも２層は、それぞれ、最も幅が広い幅広リングと該幅広リングよりも幅が狭い少なくとも１種類の幅狭リングとを幅方向にそれぞれ並列させた並列リングにより構成されるとともに、前記各並列リングは、前記幅広リングと前記幅狭リングとが前記径方向に交互に積層されていて、
前記幅方向で互いに対向する前記各幅広リングの少なくとも一部を互いに重ね合わせることにより前記積層リングの幅を狭くした状態で該積層リングを前記凹部に嵌め込み、その後、前記互いに重ね合わせた各幅広リングを前記幅方向で互いに離隔することにより前記積層リングを前記両抜け止め部と前記底面との間に係合させることを特徴とする伝動ベルトの組み付け方法。
【請求項４】
１層の前記並列リングを構成する前記幅広リングおよび前記幅狭リングの幅の総和が前記開口部の開口幅よりも小さく、
前記互いに重ね合わせた各幅広リングを前記幅方向で互いに離隔した状態にすることにより前記積層リングの幅を前記開口幅よりも広くする
ことを特徴とする請求項３に記載の伝動ベルトの組み付け方法。
【発明の詳細な説明】
【技術分野】
【０００１】
この発明は、板片状の多数のエレメントを互いに対面させて環状に配置し、それらのエレメントをリングに組み付けることにより無端環状に結束して構成した伝動ベルトおよびその組み付け方法に関するものである。
【背景技術】
【０００２】
一般に、複数の回転部材同士の間で動力の伝達を行う場合に用いる変速機として、変速比を段階的に変化させることができる有段変速機と、変速比を連続してすなわち無段階に変化させることができる無段変速機とがあり、後者の無段変速機としてはベルト式無段変速機およびトロイダル式無段変速機などが知られている。このうち、ベルト式無段変速機は、駆動側プーリおよび従動側プーリの２組のプーリと、それらのプーリに巻き掛けられる伝動ベルトとを使用して変速比を無段階に変化させる変速機である。そのようなベルト式無段変速機に用いられる伝動ベルトとして、例えば、エレメントあるいはブロックなどと称される多数の板片をその板厚方向に互いに重ね合わせて環状に配列するとともに、それらの板片をリングあるいはバンドあるいはキャリアなどと称される環状の帯状体で環状に結束することにより、無端環状に形成されたベルトが知られている。
【０００３】
このような伝動ベルトが、駆動側および従動側の２組のプーリに巻き掛けられた状態で駆動側プーリが駆動されると、エレメントには、エレメントと駆動側プーリとの接触部分の摩擦力、および、駆動側プーリのトルクに応じて駆動側プーリからエレメントに対して加えられるエレメントの積層方向すなわちエレメントの厚さ方向の圧縮力が作用する。そして、駆動側プーリに接触しているエレメントに伝達された圧縮力は、プーリに巻き掛けられていないエレメントを経由して、従動側プーリに接触しているエレメントに伝達される。この従動側プーリに接触しているエレメントに圧縮力が伝達されると、そのエレメントと従動側プーリとの接触部分の摩擦力、および伝達された圧縮力に応じて従動側プーリを回転させようとするトルクが発生する。このようにして、駆動側プーリと従動側プーリとの間で、伝動ベルトを介して動力伝達が行われる。
【０００４】
上記のような伝動ベルトの一例が特許文献１に記載されている。この特許文献１に記載されている高負荷伝動ベルトは、センターベルトと耐側圧を補強するブロックとからなる伝動ベルトであって、具体的には、上端に係止部を有している２本のベルト側部およびそれらを下端で連結する連結部材により形成されたブロック（エレメント）と、そのエレメントの両係止部の間に開口している嵌合溝（エレメントの開口凹部）に両係止部によってエレメントから外れないように嵌め込まれている２列の無端キャリア（リング）とによって構成されている。そして、エレメントの２本のベルト側部の前後面には、それぞれ凸部と凹部とが設けられていて、前後のエレメント同士の間でそれら凸部と凹部とが嵌り合うことにより、エレメントがベルト走行中でも整列するようになっている。
【０００５】
【特許文献１】特開２０００−２４９１９５号公報
【発明の開示】
【発明が解決しようとする課題】
【０００６】
上記の特許文献１に記載されている伝動ベルトは、エレメントの両端のベルト側部にリングとエレメントとを係止する係止部が形成されていて、両ベルト側部上方の平面部分に、隣接するエレメント同士で互いに嵌合する嵌合用の凹凸部が形成されている。すなわちこの嵌合用の凹凸部は、エレメントの両側に左右対称に２箇所設けられている。そして、両ベルト側部の間に形成された開口凹部に２列のリングを嵌め込み、係止部で係止されるように組み付けることにより、伝動ベルトが構成されている。
【０００７】
このような伝動ベルトにおいては、リングにエレメントを組み付ける場合、あるいはリングに組み付けられたエレメントをリングから外す場合に、２列に並列されているリングの一部を互いに重ね合わせた状態にする必要がある。すなわち２列のリングに対してエレメントを組み付けたり、外したりする場合には、それら２列のリングにねじりを加えて互いに重ね合わせることにより、２列のリングの幅をエレメントの両係止部間の開口幅よりも狭い状態にする必要がある。
【０００８】
２列のリングにねじりを加えて互いに重ね合わせた状態にするためには、隣接しているエレメント同士を、それぞれの対向面内で相対回転、すなわちローリングさせる必要がある。しかしながら、特許文献１に記載されている伝動ベルトは、隣接するエレメント同士で互いに嵌合する凹凸部が、エレメントの左右両側に２箇所設けられているため、エレメント同士のローリング方向の動作が規制されてしまう。その結果、２列のリングを互いに重なり合わせた状態にすることが困難になり、伝動ベルトを組み付けることができなくなる可能性があった。
【０００９】
この発明は上記の技術的課題に着目してなされたものであり、エレメントとリングとを容易にかつ確実に組み付けることができる伝動ベルトおよび伝動ベルトの組み付け方法を提供することを目的とするものである。
【課題を解決するための手段】
【００１０】
上記の目的を達成するために、請求項１の発明は、帯状材により形成されて可撓性を有するリングを径方向に複数層重ねた積層リングと、該積層リングを収容する凹部が形成されるとともに該凹部における左右の内壁面の開口部側に該積層リングを係合させてその離脱を防止する抜け止め部が形成された多数のエレメントとから構成され、環状に配列させた前記エレメントの列における前記両抜け止め部と前記凹部内の前記両内壁面を繋ぐ底面との間に前記積層リングを嵌め込んで組み付けた伝動ベルトにおいて、前記積層リングの連続する少なくとも２層は、それぞれ、最も幅が広い幅広リングと該幅広リングよりも幅が狭い少なくとも１種類の幅狭リングとを幅方向にそれぞれ並列させた並列リングにより構成されているとともに、前記各並列リングは、前記幅広リングと前記幅狭リングとが前記径方向に交互に積層されていることを特徴とする伝動ベルトである。
【００１１】
また、請求項２の発明は、請求項１の発明において、１層の前記並列リングを構成する前記幅広リングおよび前記幅狭リングの幅の総和が前記開口部の開口幅よりも小さく、前記幅広リングの幅の２倍が前記開口幅よりも大きいことを特徴とする伝動ベルトである。
【００１３】
一方、請求項３の発明は、帯状材により形成されて可撓性を有するリングを径方向に複数層重ねた積層リングと、該積層リングを収容する凹部が形成されるとともに該凹部における左右の内壁面の開口部側に前記積層リングを係合させてその離脱を防止する抜け止め部が形成された多数のエレメントとから構成され、環状に配列された前記エレメントの列における前記両抜け止め部と前記凹部内の前記左右両内壁面を繋ぐ底面との間に前記積層リングを嵌め込んで組み付ける伝動ベルトの組み付け方法において、前記積層リングの連続する少なくとも２層は、それぞれ、最も幅が広い幅広リングと該幅広リングよりも幅が狭い少なくとも１種類の幅狭リングとを幅方向にそれぞれ並列させた並列リングにより構成されるとともに、前記各並列リングは、前記幅広リングと前記幅狭リングとが前記径方向に交互に積層されていて、前記幅方向で互いに対向する前記各幅広リングの少なくとも一部を互いに重ね合わせることにより前記積層リングの幅を狭くした状態で該積層リングを前記凹部に嵌め込み、その後、前記互いに重ね合わせた各幅広リングを前記幅方向で互いに離隔することにより前記積層リングを前記両抜け止め部と前記底面との間に係合させることを特徴とする伝動ベルトの組み付け方法である。
【００１４】
また、請求項４の発明は、請求項３の発明において、１層の前記並列リングを構成する前記幅広リングおよび前記幅狭リングの幅の総和が前記開口部の開口幅よりも小さく、前記互いに重ね合わせた各幅広リングを前記幅方向で互いに離隔した状態にすることにより前記積層リングの幅を前記開口幅よりも広くすることを特徴とする伝動ベルトの組み付け方法である。
【発明の効果】
【００１６】
したがって、請求項１の発明によれば、エレメントの凹部に嵌め込んで係合させる積層リングの少なくとも２層が、幅広リングと幅狭リングとの複数種類のリングが並列する並列リングにより構成される。そのため、積層リングをエレメントの凹部に嵌め込んで組み付ける際に、各並列リングのそれぞれの幅広リングと幅狭リングとを幅方向で互いに当接させて並列させることにより、並列リングの各種類のリングが互いに当接せずに並列した場合と比較して、積層リングを幅が狭い状態にすることができる。その結果、積層リングを、エレメントの凹部の開口幅部分を通過させて抜け止め部と底面との間に嵌め込むことが容易になり、伝動ベルトの組み付け性を向上することができる。
また、積層リングの少なくとも連続する２層を構成する並列リングが、それら各並列リングが積層した状態で、それぞれの幅広リングと幅狭リングとが交互に積層するように構成される。そのため、積層リングをエレメントの凹部に嵌め込んだ際に凹部の左右方向で互いに相対する側に位置する幅広リングを、一旦その幅方向で互いに離隔させると、それら離隔させた幅広リングの互いに対向する端面同士が干渉もしくは当接して、各並列リングのそれぞれの幅広リングと幅狭リングとが再び幅方向で互いに当接して並列した状態に戻り難くなる。すなわち、積層リングの幅を一旦凹部の開口幅よりも広い状態にすると、積層リングの幅は再び凹部の開口幅よりも狭い状態に戻り難く、言い換えると、積層リングの幅を凹部の開口幅よりも広くした状態を維持し易くなる。その結果、積層リングをエレメントの凹部の抜け止め部と底面との間に容易に嵌め込むことができるとともに、積層リングをエレメントの凹部の抜け止め部と底面との間に確実に係合させることができる。
【００１７】
また、請求項２の発明によれば、幅広リングと幅狭リングとの複数種類のリングの幅の合計が、エレメントの凹部の開口幅よりも小さくなるように並列リングが構成される。言い換えると、各幅広リングと各幅狭リングとをそれぞれ幅方向で互いに当接させて並列させた状態での並列リングの幅が、エレメントの凹部の開口幅よりも小さくなるように並列リングが構成される。そして、エレメントの凹部内に嵌め込まれた際にその凹部の左右方向で互いに相対する側に位置するいずれか２つの幅広リングの幅の合計が、エレメントの凹部の開口幅よりも大きくなるように並列リングが構成される。言い換えると、幅広リングの幅の２倍がエレメントの凹部の開口幅よりも大きくなるように並列リングが構成される。そのため、幅広リングと幅狭リングとを幅方向で互いに当接させて並列させることにより、積層リングの幅を凹部の開口幅よりも狭い状態にすることができ、積層リングをエレメントの凹部の抜け止め部と底面との間に容易に嵌め込むことができる。そして、上記のようにして幅の狭い状態にした積層リングをエレメントの凹部に嵌め込んだ後に、凹部の左右方向で互いに相対する側に位置するいずれか２つの幅広リングをその幅方向で互いに離隔させることにより、積層リングの幅を凹部の開口幅よりも広い状態にすることができ、積層リングをエレメントの凹部の抜け止め部と底面との間に確実に係合させることができる。
【００１９】
一方、請求項３の発明によれば、エレメントの凹部に積層リングを嵌め込んで係合させて伝動ベルトを組み付ける場合、少なくとも連続する２層が、幅広リングと幅狭リングとの複数種類のリングが並列する並列リングにより構成された積層リングが用いられる。そして、その積層リングをエレメントの凹部に嵌め込んで組み付ける場合、先ず、エレメントの凹部に嵌め込まれた際に互いにその凹部の左右方向における反対側に位置する各幅広リングの少なくとも一部が、互いに重ね合わせられる。すなわち、積層リングの各並列リングにおけるそれぞれの幅広リングと幅狭リングとを幅方向で互いに当接するように並列させることにより、上記の各幅広リングの幅方向で互いに対向する側の一部が互いに重なり合い、並列リングの各種類のリングが互いに当接せずに並列させられた場合と比較して、積層リングが幅の狭い状態にされる。その状態で積層リングがエレメントの凹部の抜け止め部と底面との間に容易に嵌め込まれ、そしてその後、一部が互いに重ね合わせられていた各幅広リングを、その幅方向で互いに離隔させることにより、積層リングの幅が凹部の開口幅よりも広くされて、積層リングがエレメントの凹部の抜け止め部と底面との間に確実に係合させられる。そのため、積層リングとエレメントとを容易にかつ確実に組み付けることができ、伝動ベルトの組み付け性を向上することができる。
また、エレメントの凹部に積層リングを嵌め込んで係合させて伝動ベルトを組み付ける場合、互いに積層した状態でそれぞれの幅広リングと幅狭リングとが交互に積層するように構成された各並列リングによって、少なくとも連続する２層が構成された積層リングが用いられる。そのため、積層リングをエレメントの凹部に嵌め込んだ際に凹部の左右方向で互いに相対する側に位置する幅広リングを、一旦その幅方向で互いに離隔させることにより、それら離隔させた幅広リングの互いに対向する側の側面同士が干渉もしくは当接して、各並列リングのそれぞれの幅広リングと幅狭リングとが再び幅方向で互いに当接して並列した状態に戻り難くい状態にすることができる。すなわち、積層リングをエレメントの凹部に嵌め込んだ後に、一旦、積層リングの幅を凹部の開口幅よりも広い状態にすることにより、積層リングの幅を再び凹部の開口幅よりも狭い状態に戻り難くい状態にすることができる。言い換えると、積層リングの幅を凹部の開口幅よりも広くした状態を容易に維持することができる。その結果、積層リングをエレメントの凹部の抜け止め部と底面との間に容易に嵌め込むことができるとともに、積層リングをエレメントの凹部の抜け止め部と底面との間に確実に係合させることができる。
【００２０】
また、請求項４の発明によれば、エレメントの凹部に積層リングを嵌め込んで係合させて伝動ベルトを組み付ける場合、幅広リングと幅狭リングとの複数種類のリングの幅の合計が、エレメントの凹部の開口幅よりも小さくなるように構成され、かつ、凹部内に積層リングが嵌め込まれた際にその凹部の左右方向で互いに相対する側に位置するいずれか２つの幅広リングの幅の合計が、凹部の開口幅よりも大きくなるように構成された並列リングによって、少なくとも連続する２層が構成された積層リングが用いられる。そのため、組み付け前の段階で、各幅広リングと各幅狭リングとをそれぞれ幅方向で互いに当接させて並列させておくことにより、積層リングの幅を凹部の開口幅よりも狭くして、積層リングをエレメントの凹部の抜け止め部と底面との間に容易に嵌め込むことができる。そして、上記のようにして幅の狭い状態にした積層リングをエレメントの凹部に嵌め込んだ後に、凹部の左右方向で互いに相対する側に位置するいずれか２つの幅広リングをその幅方向で互いに離隔させることにより、積層リングの幅を凹部の開口幅よりも広くして、積層リングをエレメントの凹部の抜け止め部と底面との間に確実に係合させることができる。
【発明を実施するための最良の形態】
【００２２】
つぎに、この発明を図面を参照して具体的に説明する。初めに、この発明の実施例として、この発明に係る伝動ベルトの構成例を説明し、ついで、この発明に係る伝動ベルトの組み付け方法による組み付け例を、以下に順次説明する。
【００２３】
（第１実施例）
先ず、この発明の第１実施例における伝動ベルトを構成するエレメントおよびリングの構成を、図１，図２に基づいて説明する。図１，図２において、伝動ベルトＶは、ベルト式無段変速機の駆動側（入力軸）プーリと従動側（出力軸）プーリとに巻き掛けられて、それらのプーリの間で動力を伝達するベルトの例を示している。そして、この発明における多数のエレメントＥは、例えば金属製の板片状の部材からなり、その幅方向（図１のｘ軸方向）における左右の側面１，２が、テーパ状の傾斜した面として形成された本体（基体）部３を有し、そのテーパ状に傾斜した両側面１，２が、ベルト式無段変速機の駆動側プーリあるいは従動側プーリであるプーリ４のベルト巻き掛け溝（Ｖ形溝）４ａに摩擦接触してトルクを伝達するようになっている。
【００２４】
本体部３の幅方向（図１のｘ軸方向）における左右の両端部分に、本体部３の一部であって、エレメントＥの上下方向（図１，図２のｙ軸方向）での上方に延びた左右の柱部５，６がそれぞれ形成されている。したがって、本体部３の図１，図２での上側のエッジ部分である上端面３ａと、両柱部５，６の本体部３の幅方向における中央を向いた左右の内壁面５ａ，６ａとによって、エレメントＥの上側（図１のｙ軸方向での上側）すなわち伝動ベルトＶの外周側に開口した凹部７が形成されている。言い換えると、左右の内壁面５ａ，６ａと、それら左右両内壁面５ａ，６ａを繋ぐとともに本体部３の図１，図２での上側のエッジ部分でもある底面３ａとにより、凹部７が形成されている。
【００２５】
凹部７は、互いに密着して環状に配列されたエレメントＥを環状に結束するための無端環状のリングＲを、挿入して収容するための部分であり、したがって上端面３ａが、リングＲの内周面を接触させて載せるサドル面３ａとなっている。なお、この発明におけるリングＲは、例えば、金属製の環状の帯状体を径方向に複数層に重ねたいわゆる積層リングＲとなっている。その積層リングＲの詳細な構成に関しては後述する。
【００２６】
左右の柱部５，６の上端部分には、左右の先端面８ａ，９ａがそれぞれ本体部３の幅方向における中央に向かって延びた左右の抜け止め部８，９が、それぞれ両柱部５，６と一体に形成されている。言い換えると、凹部７の開口端（凹部７における伝動ベルトＶの外周側の端部）側の両内壁面５ａ，６ａに、凹部７の幅方向（図１のｘ軸方向）における中心側に向けた抜け止め部８，９がそれぞれ形成されている。そのため、凹部７の開口幅Ｗ１が、凹部７の開口端側で対向する両先端面８ａ，９ａの間の距離Ｗ１によって決定されている。そして、凹部７の底面７ａ（すなわちサドル面（上端面）３ａ）側では、両先端面８ａ，９ａ間の距離（開口幅）Ｗ１よりも広い内幅Ｗ２となっている。
【００２７】
この伝動ベルトＶを構成する多数のエレメントＥは、環状に配列された状態で積層リングＲによって結束され、その状態で駆動側および従動側のそれぞれのプーリ４に巻き掛けられる。したがってプーリ４に巻き掛けられた状態では、各エレメントＥが、プーリ４の中心に対して扇状に拡がり、かつ互いに密着する必要があるため、各エレメントＥの図１，図２での下側の部分（環状に配列した状態での中心側の部分）が薄肉に形成されている。
【００２８】
すなわち、本体部３の一方の面（例えば図２における左側の面）での、エレメントＥの上下方向におけるサドル面３ａの位置から下側の部分が削り落とされた状態で次第に薄肉化されている。したがって、各エレメントＥが扇形に拡がって接触する状態、言い換えると、各エレメントＥがプーリ４に巻き掛かり円弧状に湾曲して配列されて伝動ベルトＶが湾曲するベルト湾曲状態で、その板厚の変化する境界部分で接触する。この境界部分のエッジが、いわゆるロッキングエッジ１０となっている。
【００２９】
この種のエレメントＥのサドル面３ａは、多数のエレメントＥを結束しているリングＲが接触しているので、伝動ベルトＶがトルクを伝達している状態では、その接触圧が大きくなるのに対して、エレメントＥが直線状に配列されている状態からプーリ４に巻き掛かって扇状に開く場合には、リングＲとサドル面３ａとの間に滑りによる摺動が生じ、それに伴って大きい摩擦力が生じる。このとき、エレメントＥの上下方向における上記のサドル面３ａとロッキングエッジ１０との間の距離が長いと、リングＲとサドル面３ａとの間の摩擦力によるモーメントが大きくなり、リングＲとサドル面３ａとの間で一層滑りによる摺動が生じやすくなる。その結果、伝動ベルトＶの運転時における摩擦損失が増大して伝動ベルトＶの伝動効率が低下してしまうおそれがある。
【００３０】
そこで、上記のように、エレメントＥの上下方向におけるサドル面３ａの位置と同じ位置もしくはほぼ同じ位置に、すなわちエレメントＥの上下方向におけるサドル面３ａの位置からオフセットせずに、ロッキングエッジ１０を形成することによって、リングＲとサドル面３ａとの間の摩擦力によるモーメントを可及的に小さくすることができ、その結果、伝動ベルトＶの運転時における摩擦損失を低減して伝動ベルトＶの伝動効率を向上することができる。
【００３１】
エレメントＥの本体部３の幅方向における中央部分には、各エレメントＥがプーリ４に巻き掛からず直線状に配列されるベルト直線状態において各エレメントＥの相対的な位置を決めるためのディンプル１１とホール１２とが形成されている。具体的には、本体部３の一方の面側（図２の例では、ロッキングエッジ１０のある面側）に凸となる円錐台形のディンプル１１が形成されている。そして、このディンプル１１とは反対側の面に、隣接するエレメントＥにおけるディンプル１１を緩く嵌合（遊嵌）させる有底円筒状のホール１２が形成されている。
【００３２】
したがって、ベルト直線状態でこれらのディンプル１１とホール１２とが嵌合することによって、その状態におけるエレメントＥ同士の図１での左右方向および上下方向の相対位置を決めることができ、例えばベルト式無段変速機が運転される場合に、伝動ベルトＶのがたつきを防止して伝動ベルトＶを安定して走行させることができる。
【００３３】
前述したように、この発明における伝動ベルトＶは、エレメントＥとリングＲとを容易にかつ確実に組み付けることができ、その組み付け性を向上することを目的としていて、そのために、リングＲが、例えば金属製で環状の薄い帯状体（単層リング）を径方向に複数層に重ねたいわゆる積層リングＲとなっている。そして、その積層リングＲの連続する少なくとも２層が、それぞれ、最も幅が広い幅広リング（幅広の単層リング）と、その幅広リングよりも幅が狭い少なくとも１種類の幅狭リング（幅狭の単層リング）とを幅方向にそれぞれ並列させたいわゆる並列リング（もしくは分割リング）により構成されている。
【００３４】
なお、この積層リングＲにおける各単層リング同士の重ね合わせ状態もしくは積層状態は、各単層リングの張力によって保持されていて、それらの重ね合わせ面同士は、接着や溶接等の接合はされていない。したがって、積層リングＲの各層は、互いに摺動することが可能であり、そのため、積層リングＲの積層状態をずらしたり、あるいは所定の層のリングを積層部分から外したりすることが可能な構成となっている。
【００３５】
積層リングＲについてより具体的に説明する。図３に、この積層リングＲをその周長方向に直角な平面で切断した断面を示してある。この図３に示すように、積層リングＲは、幅寸法がＬ１で相対的に幅が広い幅広リング１３ｗ，〜１８ｗと、幅寸法がＬ２で相対的に幅が狭い幅狭リング１３ｎ，〜１８ｎとをそれぞれ幅方向に並列させた各並列リング（分割リング）１３，〜１８を、それらの径方向（もしくは厚さ方向）にそれぞれ積層させることにより構成されている。言い換えると、積層リングＲの各層は、最も幅が広い幅広リング１３ｗ，〜１８ｗと、その幅広リング１３ｗ，〜１８ｗよりも幅が狭い幅狭リング１３ｎ，〜１８ｎとを幅方向にそれぞれ並列させた各並列リング１３，〜１８により構成されている。
【００３６】
各並列リング１３，〜１８をそれぞれ構成する各幅広リング１３ｗ，〜１８ｗと各幅狭リング１３ｎ，〜１８ｎとは、各並列リング１３，〜１８がそれぞれ積層した状態で、それぞれ交互に積層されている。すなわち、この図３に示す例では、積層リングＲの外周側（図３の上側）から、幅狭リング１３ｎ、幅広リング１４ｗ、幅狭リング１５ｎ、幅広リング１６ｗ、幅狭リング１７ｎ、幅広リング１８ｗの順に、および、幅広リング１３ｗ、幅狭リング１４ｎ、幅広リング１５ｗ、幅狭リング１６ｎ、幅広リング１７ｗ、幅狭リング１８ｎの順に、各幅広リング１３ｗ，〜１８ｗと各幅狭リング１３ｎ，〜１８ｎとが、それぞれ交互に積層されている。
【００３７】
また、各並列リング１３，〜１８をそれぞれ構成する各幅広リング１３ｗ，〜１８ｗ、および各幅狭リング１３ｎ，〜１８ｎのそれぞれの幅の総和Ｌ（すなわち「Ｌ＝Ｌ１＋Ｌ２」）が、前述のエレメントＥの凹部７の開口幅Ｗ１よりも小さくなるように、各幅広リング１３ｗ，〜１８ｗ、および各幅狭リング１３ｎ，〜１８ｎ、あるいはエレメントＥの各部の形状・寸法が設定されて形成されている。すなわち、この図３に示すような各幅広リング１３ｗ，〜１８ｗと各幅狭リング１３ｎ，〜１８ｎとの幅方向における互いの対向面同士をそれぞれ当接させて並列させた状態、すなわち積層リングＲとしての幅Ｄが最小の幅寸法Ｄ１になる状態では、その幅寸法Ｄ１と上記の各幅の総和Ｌとがほぼ等しくなる。
【００３８】
したがって、図３に示す状態のように、各幅広リング１３ｗ，〜１８ｗと各幅狭リング１３ｎ，〜１８ｎとの幅方向における互いの対向面同士をそれぞれ当接させて並列させて、別の言い方をすれば、積層リングＲがエレメントＥの凹部７に嵌め込まれた際に互いに凹部７の左右方向での反対側に位置する各幅広リング１３ｗ，〜１８ｗの一部を互いに重ね合わせて、積層リングＲの幅Ｄを最小（すなわち幅寸法Ｄ１）にすることにより、積層リングＲを、凹部７の開口部分の先端面９ａと先端面９ｂとの間を容易に通過させて凹部７に嵌め込むことができる。
【００３９】
そして、各幅広リング１３ｗ，〜１８ｗのうち、積層リングＲがエレメントＥの凹部７に嵌め込まれた際に互いに凹部７の左右方向での反対側に位置するいずれか２つの幅広リングの幅の和Ｌ０（図３に示す例では、各幅広リング１３ｗ，〜１８ｗの幅寸法がいずれもＬ１である例を示しているので、「Ｌ０＝２×Ｌ１」となる）が、前述のエレメントＥの凹部７の開口幅Ｗ１よりも大きくなるように、各幅広リング１３ｗ，〜１８ｗ、あるいはエレメントＥの各部の形状・寸法が設定されて形成されている。すなわち、例えば前述の図１に示すように、各幅広リング１３ｗ，〜１８ｗをいずれもその幅方向で互いに離隔させることにより、積層リングＲとしての幅Ｄが凹部７の開口幅Ｗ１よりも広くなる。
【００４０】
したがって、図１に示す状態のように、積層リングＲを凹部７に嵌め込んだ後に、各幅広リング１３ｗ，〜１８ｗいずれもその幅方向で互いに離隔させて、積層リングＲの幅Ｄを凹部７の開口幅Ｗ１よりも広くすることにより、積層リングＲを、凹部７の左右の凹部７の抜け止め部８，９と底面３ａとの間に係合させることができ、積層リングＲをエレメントＥの凹部７に嵌め込んだ組み付け状態を保持することができる。
【００４１】
また、積層リングＲは、上記のように、各並列リング１３，〜１８の各幅広リング１３ｗ，〜１８ｗと各幅狭リング１３ｎ，〜１８ｎとが、それぞれ交互に積層されていることにより、積層リングＲを凹部７に嵌め込んだ後に、各幅広リング１３ｗ，〜１８ｗいずれもその幅方向で互いに離隔させて、積層リングＲを凹部７の左右の抜け止め部８，９と底面３ａとの間に係合させた際に、一旦離隔させた各幅広リング１３ｗ，〜１８ｗが、図３に示したような互いに積層した状態に再び戻ることが困難になる。
【００４２】
すなわち、積層リングＲは、図１に示した状態のように各幅広リング１３ｗ，〜１８ｗを互いに一旦離隔した後は、それら幅広リング１３ｗ，〜１８ｗの幅方向で互いに対向する側の側面同士が互いに当接したり干渉し合ったりするので、それら幅広リング１３ｗ，〜１８ｗが図３に示したような互いに積層した当初の状態に戻り難くなる。したがって、積層リングＲをエレメントＥの凹部７に嵌め込んだ組み付け状態をより確実に保持することができる。
【００４３】
つぎに、この第１実施例における構成の伝動ベルトＶの組み付け例を、図面に基づいて説明する。この発明による伝動ベルトＶを組み付ける場合、先ず、図３に示すように、積層リングＲが、その幅Ｄが幅寸法Ｄ１で最小になる幅狭状態にされる。すなわち、積層リングＲの各層を構成する各並列リング１３，〜１８が、それぞれ、各幅広リング１３ｗ，〜１８ｗと各幅狭リング１３ｎ，〜１８ｎとの幅方向における互いの対向面同士をそれぞれ当接させ、なおかつ当接しない側の各側面が面一になるように揃えて並列させた状態にされて、その結果、積層リングＲとしての幅Ｄが最小の幅寸法Ｄ１になる。
【００４４】
前述したように、積層リングＲを幅狭状態にすることより、積層リングＲの幅Ｄ（＝Ｄ１）はエレメントＥの開口幅Ｗ１よりも狭くなり、図４に示すように、エレメントＥの凹部７に、積層リングＲを容易に嵌め込むことができる。すなわち、例えば従来技術によるベルトのように、エレメントとリングとを組み付ける際に、２列のリングを互いに重ね合わせたり、あるいはエレメントをローリングさせたりすることなく、積層リングＲを、エレメントＥの凹部７の開口幅Ｗ１の部分を容易に通過させて、エレメントＥの凹部７内に容易に嵌め込むことができる。
【００４５】
そして、上記のように幅狭状態にされた積層リングＲとエレメントＥとを組み付ける作業が順次繰り返し行われる。それらの組み付けの際には、上記のようにリングＲを２列に分割してそれらを互いに重ね合わせたり、あるいはエレメントＥをローリングさせたりする必要がないので、積層リングＲの全周長に対して組み付けられるエレメントＥの枚数が比較的少ない組み付け初期段階から、積層リングＲの全周長に対して組み付けられたエレメントＥの枚数が比較的多数となった組み付け最終段階まで、さらに組み付けを所望する最後の１枚のエレメントＥと積層リングＲとを組み付ける際にも、上記に示した内容と同様の作業を行うことによって、それらエレメントＥと積層リングＲとを容易に組み付けることができる。
【００４６】
組み付けを所望する最後の１枚のエレメントＥと積層リングＲとが組み付けられると、すなわち、所望する全てのエレメントＥの凹部７に幅Ｄが最小の幅寸法Ｄ１となる幅狭状態にされた積層リングＲが嵌め込まれると、図５に示す状態のように、積層リングＲの最も外層側（図５のｙ軸方向での上側）に重ね合わせられている並列リング１３の幅広リング１３ｗと幅狭リング１３ｎとが、リングの幅方向で互いに離隔される。具体的には、並列リング１３の幅広リング１３ｗと幅狭リング１３ｎとがリングの幅方向で互いに離隔されて、それら幅広リング１３ｗの積層リングＲの右側面側（図５のｘ軸方向での右側）の端部１３ａ、および幅狭リング１３ｎの積層リングＲの左側面側（図５のｘ軸方向での左側）の端部１３ｂが、それぞれ、エレメントＥの抜け止め部９と底面３ａとの間、および抜け止め部８と底面３ａとの間に係合される、もしくは積層リングＲが凹部７から離脱しようとする際にエレメントＥの凹部７の抜け止め部８，９と底面３ａとの間に係止する状態にされる。
【００４７】
このようにして、全てのエレメントＥの凹部７に積層リングＲが嵌め込まれ、積層リングＲの最外層の並列リング１３におけ幅広リング１３ｗと幅狭リング１３ｎとがリングの幅方向で互いに離隔されると、それらの端部１３ａ，１３ｂがエレメントＥの両抜け止め部９，８にそれぞれ係合もしくは係止する。その結果、全てのエレメントＥと積層リングＲとの組み付け状態が維持されることになり、すなわち、伝動ベルトＶの組み付けが完了する。
【００４８】
そして、上記のようにしてエレメントＥと積層リングＲとを組み付けた図５に示す伝動ベルトＶの組み付け完了状態で、伝動ベルトＶのハンドリングが行われる。例えば、伝動ベルトＶの搬送や品質検査、あるいはプーリ４への巻き掛け作業等が行われる。そしてその後、伝動ベルトＶとしてトルクを伝達する運転が行われると、伝動ベルトＶの積層リングＲに作用する力により、積層リングＲの各幅広リング１３ｗ，〜１８ｗと各幅狭リング１３ｎ，〜１８ｎとが、前述の図１に示した状態のように、エレメントＥの凹部７内で左右に分かれた状態になる。したがって、伝動ベルトＶの運転時に、このように積層リングＲの各幅広リング１３ｗ，〜１８ｗと各幅狭リング１３ｎ，〜１８ｎとが幅方向で互いに離隔した状態になることにより、その後は、それら幅広リング１３ｗ，〜１８ｗの幅方向で互いに対向する側の側面同士が互いに当接したり干渉し合ったりするので、ほぼ積層リングＲが前述の図３に示した幅狭状態に再び戻ることがない。そのため、伝動ベルトＶの運転時においても、エレメントＥと積層リングＲとの組み付け状態が維持されて、伝動ベルトＶによるトルクの伝達を確実に行うことができる。
【００４９】
（第２実施例）
図６，図７は、この発明の第２実施例における伝動ベルトＶを構成するエレメントＥおよび積層リングＲの構成を示す図である。上記の第１実施例が、積層リングＲの各層（図１ないし図５の例では６層）全てが並列リング１３，〜１８により構成された例を示しているのに対し、この第２実施例では、積層リングＲが、第１実施例における並列リング１３，〜１８と同様、幅広リングと幅狭リングとが並列された並列リングと、幅方向に分割されない単列リングとから構成された例を示している。したがって、これら並列リングと単列リングとから構成される積層リングＲ以外の、前述の図１ないし図５に示す第１実施例と同じ構成の部分については、図６，図７に、図１ないし図５と同じ参照符号を付けて、その詳細な説明は省略する。
【００５０】
図６において、この第２実施例における伝動ベルトＶは、エレメントＥと、並列リング（もしくは分割リング）２１，２２，２３および単列リング２４からなる積層リングＲとにより構成されている。すなわち、この第２実施例におけるエレメントＥは、前述の第１実施例におけるエレメントＥの構成と同じである。一方、この第２実施例における積層リングＲは、前述の第１実施例における積層リングＲが、全ての層が並列リング１３，〜１８により構成されているのに対して、外層側（図６のｙ軸方向での上側）の３層が並列リング２１，２２，２３により構成され、それらの内層側（図６のｙ軸方向での下側）の複数層が単列（もしくは一条）の積層リングである単列リング２４により構成されている。
【００５１】
積層リングＲについてより具体的に説明する。図７に、この積層リングＲをその周長方向に直角な平面で切断した断面を示してある。この図７に示すように、積層リングＲは、幅寸法がＬ１で相対的に幅が広い幅広リング２１ｗ，２２ｗ，２３ｗと、幅寸法がＬ２で相対的に幅が狭い幅狭リング２１ｎ，２２ｎ，２３ｎとをそれぞれ幅方向に並列させた各並列リング（分割リング）２１，２２，２３と、幅寸法がＤ１である複数層の単列リング（もしくは一条リング）２４を、それらの径方向（もしくは厚さ方向）にそれぞれ積層させることにより構成されている。言い換えると、積層リングＲの連続する少なくとも２層（図６，図７に示す例では３層）は、最も幅が広い幅広リング２１ｗ，２２ｗ，２３ｗと、その幅広リング２１ｗ，２２ｗ，２３ｗよりも幅が狭い幅狭リング２１ｎ，２２ｎ，２３ｎとを幅方向にそれぞれ並列させた各並列リング２１，２２，２３により構成されている。
【００５２】
各並列リング２１，２２，２３をそれぞれ構成する各幅広リング２１ｗ，２２ｗ，２３ｗと各幅狭リング２１ｎ，２２ｎ，２３ｎとは、各並列リング２１，２２，２３がそれぞれ積層した状態で、それぞれ交互に積層されている。すなわち、この図７に示す例では、積層リングＲの外周側（図７の上側）から、幅狭リング２１ｎ、幅広リング２２ｗ、幅狭リング２３ｎの順に、および、幅広リング２１ｗ、幅狭リング２２ｎ、幅広リング２３ｗの順に、各幅広リング２１ｗ，２２ｗ，２３ｗと各幅狭リング２１ｎ，２２ｎ，２３ｎとが、それぞれ交互に積層されている。
【００５３】
また、各並列リング２１，２２，２３をそれぞれ構成する各幅広リング２１ｗ，２２ｗ，２３ｗ、および各幅狭リング２１ｎ，２２ｎ，２３ｎのそれぞれの幅の総和Ｌ（すなわち「Ｌ＝Ｌ１＋Ｌ２」）、および単列リング２４の幅寸法Ｄ１が、前述のエレメントＥの凹部７の開口幅Ｗ１よりも小さくなるように、各幅広リング２１ｗ，２２ｗ，２３ｗ、および各幅狭リング２１ｎ，２２ｎ，２３ｎ、あるいはエレメントＥの各部の形状・寸法が設定されて形成されている。すなわち、この図７に示すような各幅広リング２１ｗ，２２ｗ，２３ｗと各幅狭リング２１ｎ，２２ｎ，２３ｎとの幅方向における互いの対向面同士をそれぞれ当接させて並列させた状態、すなわち積層リングＲとしての幅Ｄが最小の幅寸法Ｄ１になる状態では、その幅寸法Ｄ１と上記の各幅の総和Ｌとがほぼ等しくなる。
【００５４】
したがって、図７に示す状態のように、各幅広リング２１ｗ，２２ｗ，２３ｗと各幅狭リング２１ｎ，２２ｎ，２３ｎとの幅方向における互いの対向面同士をそれぞれ当接させて並列させて、別の言い方をすれば、積層リングＲがエレメントＥの凹部７に嵌め込まれた際に互いに凹部７の左右方向での反対側に位置する各幅広リング２１ｗ，２２ｗ，２３ｗの一部を互いに重ね合わせて、積層リングＲの幅Ｄを最小（すなわち幅寸法Ｄ１）にすることにより、積層リングＲを、凹部７の開口部分の先端面９ａと先端面９ｂとの間を容易に通過させて凹部７に嵌め込むことができる。
【００５５】
そして、各幅広リング２１ｗ，２２ｗ，２３ｗのうち、積層リングＲがエレメントＥの凹部７に嵌め込まれた際に互いに凹部７の左右方向での反対側に位置するいずれか２つの幅広リングの幅の和Ｌ０（図７に示す例では、各幅広リング２１ｗ，２２ｗ，２３ｗの幅寸法がいずれもＬ１である例を示しているので、「Ｌ０＝２×Ｌ１」となる）が、前述のエレメントＥの凹部７の開口幅Ｗ１よりも大きくなるように、各幅広リング２１ｗ，２２ｗ，２３ｗ、あるいはエレメントＥの各部の形状・寸法が設定されて形成されている。すなわち、例えば前述の図６に示すように、各幅広リング２１ｗ，２２ｗ，２３ｗをいずれもその幅方向で互いに離隔させることにより、積層リングＲとしての幅Ｄが凹部７の開口幅Ｗ１よりも広くなる。
【００５６】
したがって、図６に示す状態のように、積層リングＲを凹部７に嵌め込んだ後に、各幅広リング２１ｗ，２２ｗ，２３ｗいずれもその幅方向で互いに離隔させて、積層リングＲの幅Ｄを凹部７の開口幅Ｗ１よりも広くすることにより、積層リングＲを、凹部７の左右の抜け止め部８，９と底面３ａとの間に係合させることができ、積層リングＲをエレメントＥの凹部７に嵌め込んだ組み付け状態を保持することができる。
【００５７】
また、積層リングＲは、上記のように、各並列リング２１，２２，２３の各幅広リング２１ｗ，２２ｗ，２３ｗと各幅狭リング２１ｎ，２２ｎ，２３ｎとが、それぞれ交互に積層されていることにより、積層リングＲを凹部７に嵌め込んだ後に、各幅広リング２１ｗ，２２ｗ，２３ｗいずれもその幅方向で互いに離隔させて、積層リングＲを凹部７の左右の抜け止め部８，９と底面３ａとの間に係合させた際に、一旦離隔させた各幅広リング２１ｗ，２２ｗ，２３ｗが、図７に示したような互いに積層した状態に再び戻ることが困難になる。
【００５８】
すなわち、積層リングＲは、図６に示した状態のように各幅広リング２１ｗ，２２ｗ，２３ｗを互いに一旦離隔した後は、それら幅広リング２１ｗ，２２ｗ，２３ｗの幅方向で互いに対向する側の側面同士が互いに当接したり干渉し合ったりするので、それら幅広リング２１ｗ，２２ｗ，２３ｗが図７に示したような互いに積層した当初の状態に戻り難くなる。したがって、積層リングＲをエレメントＥの凹部７に嵌め込んだ組み付け状態をより確実に保持することができる。
【００５９】
つぎに、この第２実施例における構成の伝動ベルトＶの組み付け例を、図面に基づいて説明する。この第２実施例の伝動ベルトＶにおいても、前述の第２実施例における伝動ベルトＶと同様に組み付けを行うことができる。すなわち、先ず、図７に示すように、積層リングＲが、その幅Ｄが幅寸法Ｄ１で最小になる幅狭状態にされる。すなわち、積層リングＲの各層を構成する各並列リング２１，２２，２３が、それぞれ、各幅広リング２１ｗ，２２ｗ，２３ｗと各幅狭リング２１ｎ，２２ｎ，２３ｎとの幅方向における互いの対向面同士をそれぞれ当接させ、なおかつ当接しない側の各側面が面一になるように揃えて並列させた状態にされて、その結果、積層リングＲとしての幅Ｄが最小の幅寸法Ｄ１になる。
【００６０】
したがって、積層リングＲを幅狭状態にすることより、積層リングＲの幅Ｄ（＝Ｄ１）はエレメントＥの開口幅Ｗ１よりも狭くなり、図８に示すように、エレメントＥの凹部７に、積層リングＲを容易に嵌め込むことができる。すなわち、例えば従来技術によるベルトのように、エレメントとリングとを組み付ける際に、２列のリングを互いに重ね合わせたり、あるいはエレメントをローリングさせたりすることなく、積層リングＲを、エレメントＥの凹部７の開口幅Ｗ１の部分を容易に通過させて、エレメントＥの凹部７内に容易に嵌め込むことができる。
【００６１】
このようにして、全てのエレメントＥの凹部７に積層リングＲが嵌め込まれ、積層リングＲの最外層の並列リング２１における幅広リング２１ｗと幅狭リング２１ｎとがリングの幅方向で互いに離隔されると、それらの端部がエレメントＥの両抜け止め部９，８にそれぞれ係合もしくは係止する。その結果、全てのエレメントＥと積層リングＲとの組み付け状態が維持されることになり、すなわち、伝動ベルトＶの組み付けが完了する。
【００６２】
以上のように、この発明による伝動ベルトＶおよびその組み付け方法によれば、エレメントＥの凹部７に嵌め込んで係合させる積層リングＲの少なくとも２層が、幅広リング１３ｗ，〜１８ｗ（もしくは２１ｗ，２２ｗ，２３ｗ）と幅狭リング１３ｎ，〜１８ｎ（もしくは２１ｎ，２２ｎ，２３ｎ）との複数種類のリングが並列する並列リング１３，〜１８（もしくは２１，２２，２３）により構成される。そのため、積層リングＲをエレメントＥの凹部７に嵌め込んで組み付ける際に、各並列リング１３，〜１８（もしくは２１，２２，２３）のそれぞれの幅広リング１３ｗ，〜１８ｗ（もしくは２１ｗ，２２ｗ，２３ｗ）と幅狭リング１３ｎ，〜１８ｎ（もしくは２１ｎ，２２ｎ，２３ｎ）とを幅方向で互いに当接させて並列させることにより、並列リング１３，〜１８（もしくは２１，２２，２３）の各種類のリングが互いに当接せずに並列した場合と比較して、積層リングＲを幅が狭い幅狭状態にすることができる。その結果、積層リングＲを、エレメントＥの凹部７の開口幅Ｗ１の部分を通過させて抜け止め部８，９と底面３ａとの間に嵌め込むことが容易になり、伝動ベルトＶの組み付け性を向上することができる。
【００６３】
また、幅広リング１３ｗ，〜１８ｗ（もしくは２１ｗ，２２ｗ，２３ｗ）と幅狭リング１３ｎ，〜１８ｎ（もしくは２１ｎ，２２ｎ，２３ｎ）との複数種類のリングの幅の合計Ｌが、エレメントＥの凹部７の開口幅Ｗ１よりも小さくなるように並列リング１３，〜１８（もしくは２１，２２，２３）が構成される。言い換えると、各幅広リング１３ｗ，〜１８ｗ（もしくは２１ｗ，２２ｗ，２３ｗ）と各幅狭リング１３ｎ，〜１８ｎ（もしくは２１ｎ，２２ｎ，２３ｎ）とをそれぞれ幅方向で互いに当接させて並列させた状態での並列リング１３，〜１８（もしくは２１，２２，２３）の幅Ｄ１が、エレメントＥの凹部７の開口幅Ｗ１よりも小さくなるように並列リング１３，〜１８（もしくは２１，２２，２３）が構成される。そして、エレメントＥの凹部７内に嵌め込まれた際にその凹部７の左右方向で互いに相対する側に位置するいずれか２つの幅広リング１３ｗ，〜１８ｗ（もしくは２１ｗ，２２ｗ，２３ｗ）の幅の合計Ｌ０が、エレメントＥの凹部７の開口幅Ｗ１よりも大きくなるように並列リング１３，〜１８（もしくは２１，２２，２３）が構成される。
【００６４】
そのため、幅広リング１３ｗ，〜１８ｗ（もしくは２１ｗ，２２ｗ，２３ｗ）と幅狭リング１３ｎ，〜１８ｎ（もしくは２１ｎ，２２ｎ，２３ｎ）とを幅方向で互いに当接させて並列させることにより、積層リングＲの幅Ｄを凹部７の開口幅Ｗ１よりも狭い幅狭状態にすることができ、積層リングＲをエレメントＥの凹部７の抜け止め部８，９と底面３ａとの間に容易に嵌め込むことができる。そして、上記のようにして幅狭状態にした積層リングＲをエレメントＥの凹部７に嵌め込んだ後に、凹部７の左右方向で互いに相対する側に位置するいずれか２つの幅広リング１３ｗ，〜１８ｗ（もしくは２１ｗ，２２ｗ，２３ｗ）をその幅方向で互いに離隔させることにより、積層リングＲの幅Ｄを凹部７の開口幅Ｗ１よりも広い状態にすることができ、積層リングＲをエレメントＥの凹部７の抜け止め部と底面３ａとの間に確実に係合させることができる。
【００６５】
そして、積層リングＲの少なくとも連続する２層を構成する並列リング１３，〜１８（もしくは２１，２２，２３）が、それら各並列リング１３，〜１８（もしくは２１，２２，２３）が積層した状態で、それぞれの幅広リング１３ｗ，〜１８ｗ（もしくは２１ｗ，２２ｗ，２３ｗ）と幅狭リング１３ｎ，〜１８ｎ（もしくは２１ｎ，２２ｎ，２３ｎ）とが交互に積層するように構成される。
【００６６】
そのため、積層リングＲをエレメントＥの凹部７に嵌め込んだ際に凹部７の左右方向で互いに相対する側に位置する幅広リング１３ｗ，〜１８ｗ（もしくは２１ｗ，２２ｗ，２３ｗ）を、一旦その幅方向で互いに離隔させると、それら離隔させた幅広リング１３ｗ，〜１８ｗ（もしくは２１ｗ，２２ｗ，２３ｗ）の互いに対向する側面同士が干渉もしくは当接して、各並列リング１３，〜１８（もしくは２１，２２，２３）のそれぞれの幅広リング１３ｗ，〜１８ｗ（もしくは２１ｗ，２２ｗ，２３ｗ）と幅狭リング１３ｎ，〜１８ｎ（もしくは２１ｎ，２２ｎ，２３ｎ）とが再び幅方向で互いに当接して並列した状態に戻り難くなる。すなわち、積層リングＲの幅を一旦凹部の開口幅Ｗ１よりも広い状態にすると、積層リングＲの幅Ｄは再び凹部７の開口幅Ｗ１よりも狭い状態に戻り難く、言い換えると、積層リングＲの幅Ｄを凹部７の開口幅Ｗ１よりも広くした状態を維持し易くなる。その結果、積層リングＲをエレメントＥの凹部７の抜け止め部８，９と底面３ａとの間に容易に嵌め込むことができるとともに、積層リングＲをエレメントＥの凹部７の抜け止め部８，９と底面３ａとの間に確実に係合させることができる。
【００６７】
なお、この発明は上述した具体例に限定されない。すなわち、上述した具体例では、エレメントＥと共にこの発明の伝動ベルトＶを構成する積層リングＲとして、図面上では６層の全ての層が幅方向で幅広リングと幅狭リングとに分割された（もしくは幅方向に幅広リングと幅狭リングが並列した）いわゆる並列リングにより構成された例、あるいは外層側の３層が並列リングにより構成されその内層側の４層が単列（一条）の積層リングによって構成された例を示しているが、この発明における積層リングＲは、６層，７層以外の複数層の積層リングＲであってもよく、例えば９層全てが並列リングにより構成されたものでもよい。あるいは、例えば外層側の４層が並列リングにより構成されその内層側の５層が単列（一条）の積層リングによって構成されたものなどであってもよい。
【００６８】
また、上述した具体例では、この発明の伝動ベルトＶがベルト式無段変速機に使用されている例を示しているが、この発明の伝動ベルトＶは、ベルト式無段変速機に限らず、ベルトとプーリとによって構成される他の巻き掛け伝動装置の伝動ベルトにも適用することができる。
【図面の簡単な説明】
【００６９】
【図１】この発明に係る伝動ベルトの第１実施例における構成を示す模式図であって、その伝動ベルトの正面図である。
【図２】この発明に係る伝動ベルトの第１実施例における構成を示す模式図であって、その伝動ベルトの一部側断面図である。
【図３】第１実施例における積層リングの詳細な構成を説明するための模式図である。
【図４】この発明に係る伝動ベルトの第１実施例におけるエレメントと積層リングとの組み付け状態を説明するための模式図である。
【図５】この発明に係る伝動ベルトの第１実施例におけるエレメントと積層リングとの組み付け状態を説明するための模式図であって、特にエレメントと積層リングを組み付けた後の初期状態を示す図である。
【図６】この発明に係る伝動ベルトの第２実施例における構成を示す模式図であって、その伝動ベルトの正面図である。
【図７】第２実施例における積層リングの詳細な構成を説明するための模式図である。
【図８】この発明に係る伝動ベルトの第２実施例におけるエレメントと積層リングとの組み付け状態を説明するための模式図である。
【符号の説明】
【００７０】
Ｅ…エレメント、  Ｒ…積層リング、  Ｖ…伝動ベルト    ４…プーリ、  ５ａ，６ａ…内壁面、  ７…凹部、  ８，９…抜け止め部、  １０…ロッキングエッジ、  １３，１４，１５，１６，１７，１８，２１，２２，２３…並列リング、  １３ｗ，１４ｗ，１５ｗ，１６ｗ，１７ｗ，１８ｗ，２１ｗ，２２ｗ，２３ｗ…幅広リング、  １３ｎ，１４ｎ，１５ｎ，１６ｎ，１７ｎ，１８ｎ，２１ｎ，２２ｎ，２３ｎ…幅狭リング、  ２４…単列リング。
【図１】
0004935712.tif 000002
【図２】
0004935712.tif 000003
【図３】
0004935712.tif 000004
【図４】
0004935712.tif 000005
【図５】
0004935712.tif 000006
【図６】
0004935712.tif 000007
【図７】
0004935712.tif 000008
【図８】
0004935712.tif 000009